(57)【特許請求の範囲】
【請求項１】
配管要素を結合する結合金具であって、円筒状をなす一対の結合金具本体と、これらの結合金具本体の前端面に形成され互いに軸方向に衝合されるシール面と、上記の結合金具本体から上記のシール面を囲んで周方向に配列され軸方向に突設した複数の嵌合突部とこれらの間に形成された嵌合凹部とを備え、上記一対の結合金具本体の嵌合突部と嵌合凹部は互いに相手側の結合金具本体の嵌合凹部と嵌合突部に軸方向に嵌合し、またこれら嵌合突部には相手側の結合金具本体の嵌合突部に周方向に係止して軸方向の移動を規制しこれら一対の結合金具本体を軸方向に係止する係止鉤部が形成されているものにおいて、
上記一対の結合金具本体の夫々の上記の嵌合突部の先端面と、相手側の結合金具本体の上記の嵌合凹部の奥壁面とは、上記の係止鉤部の係合状態において上記軸方向に離間していて、
上記一対の結合金具本体の夫々において上記の係止鉤部の係合面は、上記の係止鉤部が形成されている上記の嵌合突部の側の基端から上記の係止鉤部が形成されている上記の嵌合突部から離れた先端に向かうに伴い上記の軸方向において対向している上記の嵌合凹部の奥壁面に接近するよう傾斜しており、
上記の嵌合突部の先端面において上記の係止鉤部の係合面とは上記の軸方向において反対側に位置する部分には相手側の結合金具本体の上記の嵌合凹部の奥壁面に接近するよう規制突部が形成されていて、
上記の嵌合凹部の奥壁面において上記の嵌合突部の側の基端側の部分には、上記一対の結合金具本体の嵌合突部の上記の係止鉤部の係合面が相互に軸方向に係止している状態から上記軸方向に離れた時に相手側の結合金具本体の規制突部を受け入れるとともに、上記一対の結合金具本体の嵌合突部の上記の係止鉤部の係合面が相互に軸方向に対向しない位置までの上記一対の結合金具本体の周方向における回動を許容しそれ以上の回動を規制する凹所が形成されている、
ことを特徴とする結合金具。
【発明の詳細な説明】
【０００１】
【発明の属する技術分野】
本発明は、消防ホース等のホースを相互に接続、またはホースとポンプその他の機器の配管要素とを接続するための結合金具に関する。さらに特定すれば、本発明は雌雄の区別のない一対の同一の構造の結合金具本体から構成されたホースの結合金具であって、衝撃が作用した場合や、負圧が作用した場合の不所望な結合解除を防止した結合金具に関するものである。
【０００２】
【従来の技術】
一般に、ホースたとえば消防ホースの結合金具には差し込み形のものがあり、このような差し込み形の結合金具は一対の結合金具本体が互いに軸方向に嵌合して係止結合される構造のものである。このような差し込み形の結合金具は、たとえば日本工業規格  ＪＩＳ  Ｂ  ９９１１  に規定されているものあり、このような結合金具は「町野式金具」と称されて汎用されている。
【０００３】
このような差し込み形の結合金具は、簡単な装置で結合および結合解除ができ、操作の迅速性と確実性を要求される消防ホースの結合金具としては好ましい特性を有している。
【０００４】
しかし、従来の差し込み形の結合金具は、結合される一対の結合金具本体に雌雄の区別があり、一方が雄金具、他方が雌金具として構成されており、雄金具同志、雌金具同志は結合できない。このため、たとえば消火作業の際に、複数の消防ホースを延ばして互いに結合する際に、誤って雄金具同志、または雌金具同志が対応するように消防ホースを延ばしてしまう可能性があり、消火作業の迅速性、確実性の点からこのような可能性を排除することが好ましい。また、従来の結合金具は、構造の相違する雄金具と雌金具の２種類の金具を製造しなければならず、製造コストが高くなる不具合があった。
【０００５】
このような不具合を解消するために、雌雄の区別のない同一の形状の一対の結合金具本体からなるホースの結合金具が開発された。この結合金具は、本願の出願人と同じ出願人の特許出願、特願平７−２７５８３５号（特開平９−１１９５７７号公報）、特願平８−９４３４０号（特開平９−２８０４５４号公報）、特願平８−９４３４１号（特開平９−２８０４５３号公報）等に開示されている。
【０００６】
このような結合金具は、互いに相補形に嵌合する一対の結合金具本体を備えており、これらの結合金具本体からは前方に向けて複数の嵌合突部が形成され、これらの嵌合突部の間は嵌合凹部に形成されている。そして、これら嵌合突部は、互いに相手方の結合金具本体の嵌合凹部内に軸方向に嵌合する。
【０００７】
また、これらの嵌合突部の一側面には、それぞれ係止鉤部が形成されており、これらの係止鉤部は結合金具本体が相対的に回動することにより、周方向に互いに係合し、これらの結合金具本体が軸方向に離間する方向の移動を規制してこれら結合金具本体を結合する。
【０００８】
また、上記の嵌合突部の他側面には、付勢機構、たとえばスプリングにより突出方向に付勢された鋼球等を備えたプランジャ機構が設けられている。そして、上記の嵌合突部が相手方の嵌合凹部内に軸方向に嵌合した場合には、これらのプランジャ機構が互いに当接して押圧し、これらの結合金具本体を互いに回動方向に付勢し、上記の係止鉤部を互いに周方向に係合させ、かつこれら係止鉤部の係合状態を維持する。
【０００９】
ところで、このような結合金具本体を互いに嵌合、係合させるためには、各部にある程度の遊びが必要である。たとえば、上記の係止鉤部を互いに係合させるには、それらの係合面にある程度の隙間が必要であり、よって嵌合突部はこれら係止鉤部の係合面が一致した位置より、さらに前進する必要がある。このため、上記の係止鉤部が互いに係合した状態において、嵌合突部の先端面と相手側の嵌合凹部の奥壁面との間には、遊びすなわち隙間が形成される。
【００１０】
通常の場合には、上記の係止鉤部は前記の付勢機構により互いに係合した状態に維持されているが、衝撃等が作用した場合には、付勢機構の付勢力に抗して結合金具本体が上記の隙間分だけ互いに近接する方向に移動して係止鉤部の係合面が離れ、がたつきを生じる。
【００１１】
また、上記の係止鉤部の係合面は、その先端縁が嵌合突部の基端側に位置するようにオーバーハング状に形成されることが好ましい。このようにオーバーハング状に形成することにより、ホース内に水圧が作用してこれら結合金具本体に軸方向に引き離すような力が作用した場合に、これら係止鉤部の係合面が互いに噛み合い、不所望な結合解除を防止する。
【００１２】
しかし、このように係止鉤部の係合面をオーバーハング状に形成した場合には、このオーバーハング分だけ上記の嵌合突部の先端面と嵌合凹部の奥壁面との間の隙間を大きくしなければならず、上記のがたつきが大きくなる。
【００１３】
このようながたつきは、この結合金具の使用の際に異音を発生するばかりでなく、上記のように係止鉤部の係合面が離れた状態でこれら結合金具本体に回動方向の荷重が作用すると、これら結合金具本体の結合が不所望に解除される可能性がある。
【００１４】
また、この結合金具をたとえば消防車の吸込み側のホースすなわち吸管の継手として使用した場合等には、当然ながら負圧が作用する。このように負圧が作用すると、これら結合金具本体が互いに近接するような軸方向の荷重が作用する。
このため、嵌合突部の係止鉤部の係合面が互いに離れ、これらの係合が解除されてしまう可能性もある。
【００１５】
【発明が解決しようとする課題】
本発明は以上の事情に基づいてなされたもので、前述のようなホース等の結合金具において、衝撃が作用した場合や、負圧が作用した場合においても、これら結合金具本体が互いに近接して係止鉤部の係合面が離れた後のこれら結合金具本体の相対的な回動を規制してこれら結合金具本体の不所望な結合解除を防止することができる結合金具を提供するものである。
【００１６】
【課題を解決するための手段】
請求項１に記載の本発明は：配管要素を結合する結合金具であって、円筒状をなす一対の結合金具本体と、これらの結合金具本体の前端面に形成され互いに軸方向に衝合されるシール面と、上記の結合金具本体から上記のシール面を囲んで周方向に配列され軸方向に突設した複数の嵌合突部とこれらの間に形成された嵌合凹部とを備え、上記一対の結合金具本体の嵌合突部と嵌合凹部は互いに相手側の結合金具本体の嵌合凹部と嵌合突部に軸方向に嵌合し、またこれら嵌合突部には相手側の結合金具本体の嵌合突部に周方向に係止して軸方向の移動を規制しこれら一対の結合金具本体を軸方向に係止する係止鉤部が形成されているものにおいて、
上記一対の結合金具本体の夫々の上記の嵌合突部の先端面と、相手側の結合金具本体の上記の嵌合凹部の奥壁面とは、上記の係止鉤部の係合状態において上記軸方向に離間していて、
上記一対の結合金具本体の夫々において上記の係止鉤部の係合面は、上記の係止鉤部が形成されている上記の嵌合突部の側の基端から上記の係止鉤部が形成されている上記の嵌合突部から離れた先端に向かうに伴い上記の軸方向において対向している上記の嵌合凹部の奥壁面に接近するよう傾斜しており、
上記の嵌合突部の先端面において上記の係止鉤部の係合面とは上記の軸方向において反対側に位置する部分には相手側の結合金具本体の上記の嵌合凹部の奥壁面に接近するよう規制突部が形成されていて、
上記の嵌合凹部の奥壁面において上記の嵌合突部の側の基端側の部分には、上記一対の結合金具本体の嵌合突部の上記の係止鉤部の係合面が相互に軸方向に係止している状態から上記軸方向に離れた時に相手側の結合金具本体の規制突部を受け入れるとともに、上記一対の結合金具本体の嵌合突部の上記の係止鉤部の係合面が相互に軸方向に対向しない位置までの上記一対の結合金具本体の周方向における回動を許容しそれ以上の回動を規制する凹所が形成されている、
ことを特徴とする。
【００１７】
請求項１に記載の本発明の結合金具においては、上記の嵌合突部の先端面の規制突部と上記の嵌合凹部の奥壁面の凹所との組み合わせにより、衝撃や内部に負圧が作用した場合においても、これら結合金具本体が互いに近接して係止鉤部の係合面が離れた後のこれら結合金具本体の相対的な回動を規制してこれら結合金具本体の不所望な結合解除を防止することができる
【００１８】
【発明の実施の形態】
以下、図１ないし図３を参照して本発明の実施形態が適用される結合金具の基本構造を説明する。この実施形態はこの結合金具を消防ホースの結合金具に適用した場合のものである。この結合金具は、同一の構造の一対の結合金具本体１ａ，１ｂから構成されており、これら結合金具本体１ａ，１ｂにはそれぞれ消防ホース２ａ，２ｂが接続されている。
【００１９】
これらの結合金具本体１ａ，１ｂは、それぞれ筒本体３を備えており、これら筒本体３は略円筒形をなし、その内周面には鋸歯状の凹凸を有するホース取り付け部４が形成されている。そして、このホース取り付け部４に消防ホース２ａ，２ｂの端部が挿入され、これらホースの内周面からかしめリング（図示せず）によってこのホースの外周面をこのホース取り付け部４に押圧してこの消防ホースを取り付ける。
【００２０】
また、この筒本体３の前端部の内周面には、円筒状のシール面部材５が螺装され、このシール面部材５の前端面はシール面として形成され、このシール面にはゴムパッキン等のシール部材６が取り付けられている。したがって、これらの結合金具本体１ａ，１ｂが互いに軸方向に嵌合して結合された場合には、これらのシール部材６が互いに衝合され、これらの筒本体３の内部を連通するとともにシール性を維持する。
【００２１】
そして、上記の筒本体３の前端部には、それぞれ複数、たとえば６個の嵌合突部８が一体に突設されている。これらの嵌合突部８は、周方向に等間隔に配列され、上記のシール面部材５のシール面に対して軸方向に突出している。また、これらの嵌合突部８の間は、嵌合凹部７として形成されており、これらの結合金具本体１ａ，１ｂが軸方向に衝合された場合には、一方の結合金具本体１ａの嵌合突部８が他方の結合金具本体１ｂの嵌合凹部７内に嵌合し、また他方の結合金具本体１ｂの嵌合突部８が一方の結合金具本体１ａの嵌合凹部７内に嵌合し、互いに相補形に嵌合する。
【００２２】
なお、このものでは、上記の嵌合凹部７の幅は上記の嵌合突部８の幅よりやや広く形成されている。したがって、これら嵌合突部８はこれらの嵌合凹部７内に軸方向に嵌合するとともに、周方向にも所定の量だけ回動自在である。
【００２３】
そして、上記の嵌合突部８の一方の側面８ａには段形鉤状の係止鉤部９がそれぞれ形成されており、これらは互いに相手側の嵌合突部の係止鉤部と周方向に係合するように構成されている。したがって、これらの嵌合突部８が相手側の嵌合凹部７内に軸方向に嵌合した状態で、これら結合金具本体１ａ，１ｂを互いに回動させてこれら嵌合突部８の一方の側面８ａが互いに近接すると、これらの係止鉤部９が図３に示すように互いに係合して軸方向の係止をなし、これら結合金具本体１ａ，１ｂが互いに結合される。なお。これらの係止鉤部９の根元部には、この部分の応力集中を防止するための湾曲部１１が形成されている。また、これらの嵌合突部の他方の側面の先端角部は円弧状に形成されてガイド部１２が形成されており、これらが嵌合する際には、これらのガイド部１２が互いに当接するように構成されている。
【００２４】
また、これらの係止鉤部９の係合面９ａは、その先端縁が嵌合突部８の基端部側に位置するように、所定の角度ａだけオーバーハング状に傾斜しており、これらが嵌合した状態で内部の水圧等によりこれら結合金具本体１ａ，１ｂを互いに引き離す方向の荷重が作用した場合には、これらの係止鉤部１１はより強く嵌合し、この結合金具本体１ａ，１ｂの抜け等を確実に防止するように構成されている。
【００２５】
なお、上記の嵌合突部８や嵌合凹部７、係止鉤部９等の構成は、前述のように不所望な結合解除を防止するために、特別の構成となっているが、この点については後に詳述する。
【００２６】
また、これらの嵌合突部８の他方の側面８ｂは、これらの結合金具本体１ａ，１ｂの軸方向に対して傾斜している。したがって、この嵌合突部８は、その先端部にゆくに従って周方向の幅が狭くなるようなテーパ状に形成され、また嵌合凹部７も同様にその奥部にゆくに従ってその周方向の幅が狭くなるようなテーパ状に形成されている。これにより、これらの嵌合突部８と嵌合凹部７の嵌合が容易となる。なお、上記の係止鉤部９が形成されている一方の側面は、この結合金具本体１ａ，１ｂの軸方向と略平行に形成されている。
【００２７】
また、これらの嵌合突部８の他方の側面８ｂには、それぞれ付勢機構１０が設けられている。これらの付勢機構１０は、円筒形のケース部材１４内に突没自在に収容された付勢部材たとえば鋼球１５と、この鋼球１５を突出方向に付勢するスプリング１６とから構成されており、これらの付勢機構１０はこれら嵌合突部８の他方の側面に埋め込まれている。したがって、これらの嵌合突部８が図３に示すように相手側の嵌合凹部７内に嵌合されると、上記の鋼球１５が互いに当接して互いに押圧付勢し、これら嵌合突部８の他方の側面を互いに離反するように付勢し、この結果これら嵌合突部８の一方の側面８ａは互いに近接するように付勢され、上述のようにこれらの一方の側面の係止鉤部９が互いに係合するように付勢される。
【００２８】
また、これらの結合金具本体１ａ，１ｂの外周面には、複数の工具溝２０が形成されている。これらの工具溝２０は、たとえばレンチ等の工具と嵌合可能な形状に形成されており、万一これらの結合金具本体１ａ，１ｂの結合が砂等の噛み込みにより結合解除できなくなった場合には、これらの工具溝２０にレンチ等の工具を嵌合してこれら結合金具本体１ａ，１ｂを強制的に回動させることにより、結合を解除することができる。
【００２９】
また、図４には、図１乃至図３中に示されていた結合金具の基本構造に適用された本発明の実施形態を示す。このものは、嵌合突部８の先端面と、嵌合凹部７の奥壁部に、カム面として互いに当接する段状の規制突部３７，３８を突設したもので、これら規制突部３７，３８は、係止鉤部９が係合した状態では互いに離間している。
【００３０】
この実施形態のものは、衝撃や内部の負圧により、係止鉤部９の係合面９ａが離れた状態において、衝撃等によりこれら結合金具本体１ａ，１ｂが相対的に回動した場合に、これらの規制突部３７，３８が当接し、それ以上の回動を規制するので、これら結合金具本体の結合の不所望な解除の可能性が少なくなる。
【００３１】
なお、本発明は前述の実施形態には限定されない。たとえば、本発明は消防ホースの結合金具には限定されず、その他の各種の用途の配管要素を接続する結合金具一般に適用することができる。また、本発明の結合金具は、金属、合成樹脂、その他の複合材料等、任意の材料で形成することができる。
【００３２】
【発明の効果】
上述の如く本発明によれば、係止鉤部の係合状態において、衝撃や内部に負圧が作用した場合においても、これら結合金具本体が互いに近接して係止鉤部の係合面が離れた後の相対的な回動を規制し、これら結合金具本体の結合が不所望に解除されてしまうのを確実に防止できる等、その効果は大である。
【図面の簡単な説明】
【図１】  本発明の実施形態が適用される結合金具の基本構造の斜視図。
【図２】  図１の結合金具の一方の結合金具本体を断面で示す側面図。
【図３】  図１の結合金具の嵌合突部と嵌合凹部との嵌合状態の平面図。
【図４】  図１乃至図３中に示されていた結合金具の基本構造に適用された本発明の実施形態の嵌合状態の嵌合突部と係止鉤部の部分を模式的に示す平面図。
【符号の説明】
１ａ，１ｂ  結合金具本体
７  嵌合凹部
８  嵌合突部
９  係止鉤部
９ａ  係合面
１０  付勢機構
３７，３８  規制突部
【図１】
0004620227.tif 000002
【図２】
0004620227.tif 000003
【図３】
0004620227.tif 000004
【図４】
0004620227.tif 000005